(57)【要約】  コンパートメントデバイダー（６）により隔てられる複数のコンパートメント（Ａ、Ｂ、Ｃ）と、接続チューブ（２）を介して液体を受けるインレットコネクター（３）を備える容器（１０）である。インレットコネクター（３）を通じて容器（１０））内に導入された液体又は気体により十分な圧力が加えられると、コンパートメントデバイダーは破裂する。コンパートメントのいくつかは、前記容器内に液体を導入すると溶ける粉末を有している。透析分野におけるシステム、プロセスならびに使用方法も開示される。【選択図】  図１
2009539522.tif 000002
【特許請求の範囲】
【請求項１】
薬剤を封入するための容器（１０、２０、３０、４０、５０、６０、７０、８０、９０、１６１）であって、
前記薬剤を有する少なくとも一のコンパートメント（Ａ、Ｂ、Ｃ）と、
前記コンパートメントと接続するためのインレットコネクター（３、３３、４３、５１、６４、７３、８５）と、
前記インレットコネクター（３、３３、４３、５１、６４、７３、８５）から前記少なくとも一のコンパートメントを隔てる、少なくとも一のセパレーター（６、２１、９９１、９９２）と、を備えており、
前記セパレーター（６、２１、９９１、９９２）は、前記インレットコネクター（３、３３、４３、５１、６４、７３、８５）を介して圧力が加えられると、開くよう構成されること、
を特徴とする容器。
【請求項２】
請求項１に基づく容器において、前記容器は、その中に少なくとも二のコンパートメント（Ａ、Ｂ、Ｃ）を備え、当該コンパートメントは、前記セパレーターを構成するコンパートメントデバイダー（６、２１、９９１、９９２）によって隔てられること、
を特徴とする容器。
【請求項３】
請求項１に基づく容器（１０、２０、３０、４０、５０、６０、７０、８０、９０）において、前記圧力は、水などの液体によって供給され、前記インレットコネクターは、前記容器から距離をおいて配され、水源からの水を前記少なくとも二のコンパートメント（Ａ、Ｂ、Ｃ)の少なくとも一つに提供する、送水ポンプ（９４）に接続されること、
を特徴とする容器。
【請求項４】
請求項１、請求項２又は請求項３に基づく容器（１０、２０、３０、４０、５０、６０、７０、８０、９０）において、前記少なくとも二のコンパートメント（Ａ、Ｂ、Ｃ）の一のコンパートメント（Ｂ）は、電解質溶液を有し、前記少なくとも二のコンパートメントの少なくとももう一つのコンパートメント（Ｃ）は、粉末を有すること、
を特徴とする容器。
【請求項５】
請求項１に基づく容器（１０、２０、３０、４０、５０、６０、７０、８０、９０）において、前記少なくとも二のコンパートメント（Ａ、Ｂ、Ｃ）の一のコンパートメント（Ｃ）は、重炭素の粉末(bicarbonate powder)を有すること、
を特徴とする容器。
【請求項６】
請求項１に基づく容器（１０、２０、３０、４０、５０、６０、７０、８０、９０）において、再循環ポンプ（９２、１０３１、１０３２）が、前記インレットコネクター（３、３３、４３、５１、６４、７３、８５）に接続され、当該再循環ポンプは、前記インレットコネクター（３、３３、４３、５１、６４、７３、８５）を介して前記容器の内容物の流入と逆流を可能にすることによって、前記容器（１０、２０、３０、４０、５０、６０、７０、８０、９０）の内容物の混合動作を提供するよう構成されること、
を特徴とする容器。
【請求項７】
請求項１に基づく容器（１０、２０、３０、４０、５０、６０、７０、８０、９０）において、前記インレットコネクター（３、３３、４３、５１、６４、７３、８５）は、逆止弁(non-return valve)を有して設けられること、
を特徴とする容器。
【請求項８】
請求項１又は請求項２に基づく容器（４０、５０、６０、７０、８０）であって、さらに、アウトレットコネクター（４１、７１、８１）を備えること、
を特徴とする容器。
【請求項９】
請求項１に基づく容器（４０、５０、６０、７０、８０）において、前記アウトレットコネクターならびに前記インレットコネクターは、一の二管式コネクター(double lumen connector)に集約されること、
を特徴とする容器。
【請求項１０】
請求項８又は請求項９に基づく容器（４０、５０、６０、７０、８０）において、前記アウトレットコネクター（４１、７１、８１）は、逆止弁を有して設けられること、
を特徴とする方法。
【請求項１１】
請求項８又は請求項９に基づく容器（４０、５０、６０、７０、８０）において、前記アウトレットコネクター（４１、７１、８１）は、前記容器の内容物の吸引のための吸引チューブの侵入を可能とするよう構成される、膜を有して設けられること、
を特徴とする容器。
【請求項１２】
請求項８、請求項９又は請求項１０に基づく容器（４０、５０、６０、７０、８０）において、再循環ポンプ（９２、１０３１、１０３２）が、前記インレットコネクターおよび前記アウトレットコネクターと連通し、当該再循環ポンプは、前記容器の前記内容物を、前記インレットコネクターを介して当該容器内に、前記アウトレットコネクターを介して当該容器外に、再循環させることによって、前記容器の内容物の混合動作を提供すること、
を特徴とする容器。
【請求項１３】
請求項１に基づく容器（８０）であって、さらに、前記容器の第一コンパートメントの内側に設けられた少なくとも一のフロー流通経路（８２１、８２２）を備え、当該フロー流通経路（８２１、８２２）のそれぞれは、前記インレットコネクターに接続された近端部ならびに少なくとも一のポンプコンパートメント（８３１、８３２）に接続された末端部を有し、当該ポンプコンパートメント（８３１、８３２）は、当該ポンプコンパートメント（８３１、８３２）に与えられる外部からの交互プレス動作(external alternating press action)によって、前記容器内で混合動作を提供するよう構成されること、
を特徴とする容器。
【請求項１４】
請求項１３の容器（８０）において、前記外部交互プレス動作は、ピストンなどの機械的部材により与えられること、
を特徴とする容器。
【請求項１５】
前記いずれの請求項に基づく容器（１０、２０、３０、４０、５０、６０、７０、８０、９０）において、前記容器は、生分解性ポリマー（biodegradable polymer）などの生分解性物質から作られること、
を特徴とする方法。
【請求項１６】
前記いずれの請求項に基づく容器（１０、２０、３０、４０、５０、６０、７０、８０、９０）において、前記コンパートメントデバイダーは、それ自体に所定の圧力が加わると破壊されるよう溶接されること、
を特徴とする容器。
【請求項１７】
前記いずれの請求項に基づく容器（１０、２０、３０、４０、５０、６０、７０、８０、９０）において、前記コンパートメントデバイダー（６、２１、９９１、９９２）は、ジップロック(zip-lock)であること、
を特徴とする容器。
【請求項１８】
前記いずれの請求項に基づく容器（１０、２０、３０、４０、５０、６０、７０、８０、９０）において、前記コンパートメントデバイダー（２１）は、矢尻（２１）形状に設けられること、
を特徴とする容器。
【請求項１９】
前記いずれの請求項に基づく容器（１０、２０、３０、４０、５０、６０、７０、８０、９０）であって、十分な水量、十分な圧力値および容器の識別番号などの容器の特性をやりとりすることが可能なトランスポンダー装置１９１を備えること、
を特徴とする容器。  
【請求項２０】
薬剤を提供するためのシステム（１００、１１０、１２０、１３０、９００）であって、当該システムは、
そのコンパートメント内に液体を受けるためのインレットコネクターを備えた少なくとも一の容器（９０、１０１１、１０１２、１１１、１１２、１１４、１１５）と、
液体源（１０５）から前記少なくとも一の容器（９０、１０１１、１０１２、１１１、１１２、１１４、１１５）に水などの液体を提供するためのインレットチューブによって、前記インレットコネクターに接続された液体ポンプと、
前記液体ポンプと前記インレットコネクターとの間に設けられ、通常は開いている第一バルブ（９５）と、
前記インレットコネクターと溶液供給容器（９７）の間に設けられ、通常は閉じている第二バルブ（９６）と、を備え、
使用の際、前記少なくとも一の容器の内容物を前記液体源からの液体と混合することによって前記薬剤が準備されること、
を特徴とするシステム。
【請求項２１】
請求項２０に基づくシステム（１００、１１０、１２０、１３０、９００）であって、さらに、
前記インレットコネクターに接続され、前記容器（９０、１０１１、１０１２、１１１、１１２、１１４、１１５）の内容物を、前記液体ポンプ（９４）により提供された前記液体と混合する再循環を提供する再循環ポンプ（９２、１０３１、１０３２）、
前記送水ポンプに接続されたドレイン、および
前記送水ポンプに接続された殺菌チューブ、を備えること、
を特徴とするシステム。
【請求項２２】
請求項２０又は請求項２１に基づくシステム（１００、１１０、１２０、１３０、９００）において、前記溶液供給容器（９７）は、前記溶液のレベルが低すぎる場合にユーザーに警告するレベルセンサー（１３１）を備えること、
を特徴とするシステム。
【請求項２３】
請求項２０から請求項２２のいずれかに基づくシステム（１００、１１０、１２０、１３０、９００）であって、さらに、
前記システムの前記バルブ、送水ポンプ、再循環ポンプ、空気検知器およびレベルセンサーに対する水量パラメーターについての前記システムのプロセスを制御する制御装置、を備えること、
を特徴とするシステム。
【請求項２４】
請求項２３に基づくシステム（１００、１１０、１２０、１３０、９００）において、前記制御装置１９２は、容積測定（volumetric measurement）、流れ測定（flow measurement）、重量測定（weight measurement）、導電率測定（conductivity measurement）、ｐＨ測定（pH measurement）、圧力測定（pressure measurement）によって、前記システムの水量を制御すること、
を特徴とするシステム。
【請求項２５】
請求項２０に基づくシステム（１００、１１０、１２０、１３０、９００）であって、さらに、トランスポンダー装置１９１を備え、当該トランスポンダー装置は、再循環時間、流量などに関する水量情報を前記再循環ポンプと直接やり取りすること、
を特徴とするシステム。
【請求項２６】
請求項２０に基づくシステム（１００、１１０、１２０、１３０、９００）であって、さらに、トランスポンダー装置を備え、当該トランスポンダー装置は、ポンプ流、水量、順方向／逆方向動作などに関する水量情報を前記送水ポンプと直接やり取りすること、
を特徴とするシステム。
【請求項２７】
請求項２３に基づくシステム（１００、１１０、１２０、１３０、９００）において、前記制御装置は、光および／又は音によって患者／ユーザーに警告する能力を有すること、
を特徴とするシステム。
【請求項２８】
請求項２３に基づくシステム（１００、１１０、１２０、１３０、９００）において、前記制御装置は、残りの治療時間、新しい容器を接続するまでの時間、水量パラメーターおよび容器の識別番号などの前記パラメーターを表示するディスプレイを備えること、
を特徴とするシステム。
【請求項２９】
請求項２３に基づくシステム（１００、１１０、１２０、１３０、９００）であって、さらに、前記少なくとも一の容器（９０、１０１１、１０１２、１１１、１１２、１１４、１１５）およびその内容物の重さを決定する、はかり、を備えること、
を特徴とするシステム。
【請求項３０】
薬剤を提供するための方法であって、
請求項１から請求項２０に基づくいずれの容器内に、送水ポンプ（９４）ならびに第一バルブ（９５）を介して水源（９３）から第一の水量を導入するステップと、
前記少なくとも一のコンパートメントデバイダーの最初のものを開くため、前記送水ポンプ（９４）によって圧力を加えるステップと、
前記圧力が加えられると前記送水ポンプを停止するステップと、
前記導入された第一の十分な水量を用い、再循環ポンプによって前記容器の前記内容物を再循環させるステップであって、これにより、混合された医療溶液を提供するステップと、
前記混合医療溶液を前記溶液供給容器（９７）に伝達するステップと、を備えること、
を特徴とする方法。  
【請求項３１】
請求項３０に基づく方法において、前記容器の前記内容物は、電解質溶液、重炭酸などの粉末の少なくとも一つを備えること、
を特徴とする方法。
【請求項３２】
請求項３０又は請求項３１に基づく方法であって、さらに、新しい容器の接続が必要となる前に、前記溶液供給容器（９７）内に設けられたレベルセンサーからの情報を用い、前記溶液供給容器（９７）内の前記医療溶液のレベルに基づいて前記残り時間を推定するステップ、を備えること、
を特徴とする方法。
【請求項３３】
請求項２０から請求項２９に基づくいずれかのシステムを空にする方法であって、
前記送水ポンプの方向を、逆方向ポンピングモード(backward pumping mode)に変更するステップと、
前記第一バルブならびに前記第二バルブの方向を、逆方向フローモードに変更するステップと、
前記液体をドレイン内にポンピングすることにより、前記システムの液体を空にするステップと、を備えたこと、
を特徴とする方法。
【請求項３４】
請求項３３に基づく方法であって、さらに、前記システムを空にすることを促進するため前記再循環ポンプの方向を変更するステップ、を備えること、
を特徴とする方法。
【請求項３５】
請求項２０から請求項２９に基づくシステムを殺菌するプロセスであって、
前記溶液供給容器内に前記殺菌剤を導入するステップと、
前記送水ポンプを介し、適切な水を前記システム内にポンピングするステップと、
殺菌チューブ（１５５）を、前記溶液供給容器（１５４）内に入れるステップと、
前記再循環ポンプ（１５６１、１５６２）を動作させ、前記殺菌剤が前記システムを浄化するまで、殺菌剤を有する前記適切な水を再循環ループ付近にポンピングするステップと、ならびに
前記システムの液体を空にするステップと、を備えたこと、
を特徴とするプロセス。
【請求項３６】
請求項１から請求項１９に基づく容器を、連続携帯式腹膜透析、あるいは、連続循環腹膜透析(Continuous Cycling Peritoneal Dialysis)、バッチ式血液濾過（Hemofiltration batch）およびバッチ式血液透析（Hemodiafiltration batch）などの腹膜透析治療において使用すること、
を特徴とする容器の使用方法。
【請求項３７】
請求項１から請求項１９に基づく容器を、血液透析、オンライン血液濾過（Hemofiltration online）およびオンライン血液透析（Hemodiafiltration  online）などの腹膜透析治療において使用すること、
を特徴とする容器の使用方法。
【発明の詳細な説明】
【技術分野】
【０００１】
本発明は、一般に溶液の分野に関し、具体的には、医療溶液に関する。本発明は、より具体的に述べると、透析液等の医療溶液を提供する容器、方法ならびにシステムに関する。
【背景】
【０００２】
米国特許６１４９２９４は、粉末から医療に用いられる溶液を準備するための装置を開示している。かかる装置は、水と粉末を混ぜその中に濃縮液を提供する容器、ならびに、所定濃度を有する濃縮液を準備するために、水と粉末をさらに混ぜ、水あるいは濃縮液を前記容器中に再循環させる再循環回路を備えている。
【０００３】
この装置では、血液透析（HD）、血液透析ろ過法（HDF）あるいは血液ろ過法（ＨＤ）を実行する透析装置に送られる調合済み透析液あるいは代替液を準備することができる。こうして準備された液は、腹膜透析、又は、患者の血液に注入される栄養剤等、他の目的にも使用可能である。しかし、この装置は、いくつかのバルブおよびコンピュータによる制御が要求される他の装置を備えている。したがって、医療溶液を準備するため、より簡易な装置が求められている。
【０００４】
国際公開公報ＷＯ００／０５７８３３は、透析治療に用いるための薬剤を封入するための容器を開示している。かかる容器は、電解液コンパートメントならびに粉末コンパートメントを備えている。電解液コンパートメント中の電解液に粉末を溶かすため、粉末コンパートメントは使用直前に開封される。別のコンパートメントを設けるようにしてもよい。混合された溶液は、腹膜透析等における次の使用のため、排出チューブを介して送られる。別々のコンパートメントは、折れ易いピンあるいはプルタブを引っ張ることにより破れるシールによって互いに接続されている。
【０００５】
この容器は、その内容を混ぜ合わせるために異なるコンパートメント同士を接続するため、手動による作業を必要とする。しかし、それらの薬剤を用いる、透析患者等の多くは筋力が弱っており、かかる引っ張り作業を実行するのが困難である。したがって、システムに設けることが可能で、患者による作業、あるいは、患者に最小限の筋力を求めることなく、自動的に混合を実行する容器が求められている。
【先行技術文献】
【特許文献】
【０００６】
【特許文献１】米国特許６１４９２９４
【特許文献２】国際公開公報ＷＯ００／０５７８３３
【発明の開示】
【０００７】
したがって、本発明は、上述の一以上の技術的な課題および欠点について、それを単独あるいはいずれかの組み合わせにより、軽減し、緩和し、取り除くよう努め、添付した特許請求の範囲に基づく容器、システム、プロセスならびに使用方法を提供することにより、少なくとも上述の問題点を解決することが好ましい。  本発明のある側面によると、薬剤を封入するための容器であって、前記薬剤を有する少なくとも一のコンパートメント（Ａ、Ｂ、Ｃ）と、前記コンパートメントと接続するためのインレットコネクターと、前記インレットコネクターから前記少なくとも一のコンパートメントを隔てる、少なくとも一のセパレーターと、を備えており、前記セパレーターは、前記コネクターを介して圧力が加えられると開くよう構成されること、を特徴とする容器が提供される。
【０００８】
本発明の他の側面によると、薬剤を提供するためのシステムが提供される。当該システムは、そのコンパートメント内に液体を受けるためのインレットコネクターを備えた少なくとも一の容器と、液体源（１０５）から前記少なくとも一の容器に水などの液体を提供するためのインレットチューブにより、前記インレットコネクターに接続された液体ポンプと、前記液体ポンプと前記インレットコネクターとの間に設けられ、通常は開いている第一バルブ（９５）と、前記インレットコネクターと溶液供給容器の間に設けられ、通常は閉じている第二バルブとを備え、使用の際、前記少なくとも一の容器の内容物を前記液体源からの液体と混合することによって前記薬剤が準備される。
【０００９】
本発明のさらに他の側面によると、薬剤を提供するための方法が提供される。かかる方法は、請求項１から請求項２０に基づくいずれのか容器内に、送水ポンプならびに第一バルブを介して水源から第一の水量を導入するステップと、前記少なくとも一のコンパートメントデバイダーの最初のものを開くため前記送水ポンプによって圧力を加えるステップと、前記圧力が加えられると前記送水ポンプを停止し、再循環ポンプによって前記容器の内容物を再循環させ、これにより、混合された医療溶液を提供するとともに、前記混合医療溶液を、前記溶液供給容器に伝達するステップと、を備える。
【００１０】
本発明の他の側面によると、請求項２０から請求項３２に基づくいずれかのシステムを空にする方法が提供される。かかる方法は、前記送水ポンプの方向を、逆方向ポンピングモードに変更するステップと、前記第一バルブならびに前記第二バルブの方向を、逆方向フローモードに変更するステップと、液体をドレイン内にポンピングすることにより、前記システムの液体を空にするステップと、を備える。
【００１１】
また、本発明の他の側面によると、連続携帯式腹膜透析、あるいは、連続循環腹膜透析、バッチ式血液濾過およびバッチ式血液透析などの腹膜透析治療における請求項１から請求項１３に基づく容器の使用方法が提供される。
【００１２】
さらに、本発明の他の側面によると、血液透析、オンライン血液濾過およびオンライン血液透析などの腹膜透析治療における請求項１から請求項１９に基づく容器の使用方法が提供される。
【図面の簡単な説明】
【００１３】
本発明により可能となる、これらおよび他の側面、特徴、ならびに効果は、添付図面を参照することにより述べられる本発明の実施形態の説明から明らかであり、それによって明確にされる。  
【図１】図１は、異なる実施形態に基づくバッグ型容器の略図である。
【図２】図２は、異なる実施形態に基づくバッグ型容器の略図である。
【図３】図３は、異なる実施形態に基づくバッグ型容器の略図である。
【図４】図４は、異なる実施形態に基づくバッグ型容器の略図である。
【図５】図５は、異なる実施形態に基づくバッグ型容器の略図である。
【図６】図６は、異なる実施形態に基づくバッグ型容器の略図である。
【図７】図７は、異なる実施形態に基づくバッグ型容器の略図である。
【図８】図８は、異なる実施形態に基づくバッグ型容器の略図である。
【図９】図９は、様々な実施形態に基づくシステムの略図である。
【図１０】図１０は、様々な実施形態に基づくシステムの略図である。
【図１１】図１１は、様々な実施形態に基づくシステムの略図である。
【図１２】図１２は、様々な実施形態に基づくシステムの略図である。
【図１３】図１３は、様々な実施形態に基づくシステムの略図である。
【図１４】図１４は、システムを空にするプロセスに関する図である。
【図１５】図１５は、システムを殺菌するプロセスに関する図である。
【図１６】図１６は、ある実施形態に基づくバッグ接続アダプターの図である。
【図１７】図１７は、ある実施形態に基づくバッグ型容器の図である。
【実施形態の詳細な説明】
【００１４】
以下の説明は、透析システムに適用可能な本発明の実施形態に焦点を当てるものであって、具体的には、透析液、あるいは、粉状の濃縮物を用いることにより異なる濃度の透析用濃縮物を準備することに関する。しかし、発明は、本明細書に限定されず、他の多くの液を混合し、溶液を提供するシステムに適用可能であることが理解される。したがって、以下で説明される実施形態により準備される医療溶液を、濃縮液又は透析用の既製溶液として透析治療のために、乳酸リンゲル液等の輸液、栄養剤、代替溶液、血漿増量液等として用いることが可能である。
【００１５】
図１は、バッグ１０をコンパートメントＡ、ＢおよびＣに仕切る二のコンパートメントデバイダー６を備える、バッグ１０等の容器を開示している。かかるコンパートメントＡからＣは、粉末を液体に溶かし、コンパートメントＡからＣの内容物を混合させることにより、透析等の溶液を提供するために適切な量の粉末あるいは液体を含んでもよい。また、穴８あるいはターミナルストリップ等を用い、バッグ１０をハンガーに任意に取り付けるようにしてもよい。
【００１６】
かかるバッグ１０は、水等の液体又は気体を、バッグのコンパートメントＡに導入するためのインレットチューブ２に接続されたインレットコネクター３を用いて取り付けられる。液体がインレットコネクター３を介してバッグ１０に入ると、以下で更に述べるように、コンパートメントデバイダー６は、コンパートメント同士が互いに接続するため、破壊又は破裂するように構成される。
【００１７】
コンパートメントＡおよびＢとの間の第一コンパートメントデバイダー６’は、インレット３に接続しているコンパートメントＡの内側の流圧が、所定の第一圧を上回ると破壊される。次に、最初のコンパートメントＡは、二番目のコンパートメントＢに接続され、その内容物は互いに混ぜられ、混合される。
【００１８】
第一コンパートメントデバイダー６’が開くと、コンパートメントＢとともにコンパートメントＡの体積が増加するので流圧は下降する。バッグ内にさらに液体を導入し続けることにより、内部の流圧は、所定の第二圧まで上昇し、これにより、コンパートメントＢとコンパートメントＣとの間の第二コンパートメントデバイダー６’が開き、コンパートメントＢとコンパートメントＣ間の連通を提供する。したがって、コンパートメントＡおよびＢの内容物とコンパートメントＣの内容物との第二の混合が提供される。
【００１９】
前記所定の第一および第二圧は、主に、バッグならびにそれぞれのコンパートメントデバイダーの設計によって決定される。いくつかの実施形態において、前記所定の第一および第二圧は同じであるが、それらはバッグの設計によって異なるので、使われた材料の剛性ならびに各コンパートメントデバイダーの設計に関し、所定圧は、異なるバッグの間ならびにバッグ内の前記所定の第一および第二圧間で変動する。例えば、コンパートメントデバイダーについての所定圧は、１から２気圧であり、１．５気圧等であってもよい。しかし、コンパートメントデバイダーを破壊又は破裂させるため、他のいずれの所定圧を用いることもできる。
【００２０】
以下において、“十分な圧”という語は、バッグならびにコンパートメントデバイダーの設計に基づく所定圧であって、コンパートメントデバイダーを破壊又は破裂させるのに十分なものと解釈することができる。
【００２１】
当該コンパートメントデバイダーは、図２におけるバッグ２０で示すように、矢尻２１形状に設けてもよい。バッグ２０内に液体が導入されると、コンパートメントデバイダー上に作用する最大張力が前記矢尻形状に局所化され、これにより増大した圧が加えられると、まず、コンパートメントデバイダーの当該部分２１が開く。この実施形態の長所は、バッグ内の場所に関するコンパートメントデバイダーの開放プロセスが制御できることである。
【００２２】
バッグの内容物ならびにバッグの内容物を混ぜる方法にもよるが、異なる種類のコンパートメントデバイダーの形状を選ぶようにしても良い。例えば、図１に示すように、まっすぐなコンパートメントデバイダーを設けるようにしてもよい。また、コンパートメントデバイダーは、波形形状であってもよい。さらに、コンパートメントデバイダーは、圧力が加わると、いくつかの場所で同時にコンパートメントデバイダーが開くことになる、ジグザグ形状であってもよい。
【００２３】
コンパートメントデバイダーを開くために用いられる液体は、水源から提供される水であってもよい。ある実施形態において、コンパートメントデバイダー６’が破壊された場合、コンパートメントＡに導かれた水は、コンパートメントＢ内に配置された粉末を溶かすために用いてもよい。さらに水が導かれると、コンパートメントＢとＣの間の第二コンパートメントデバイダー６’’が破壊され、溶液、あるいは、更なる粉末が、結合されたコンパートメントＡおよびＢの内容物と混ぜられ、これにより調合済み医療溶液が提供される。
【００２４】
他の実施形態において、コンパートメントデバイダーを開けるために用いられた液体は、空気又は窒素ガス等の加圧された気体であってもよい。この場合、かかる液体は、最終的な液体の準備に関係することはないが、コンパートメントの内容物を混ぜるため、コンパートメントデバイダー６’ならびに６’’を開けるためだけに用いられる。ある実施形態において、低い位置にあるコンパートメントＡは水を有し、第二コンパートメントは、混合がなされる際に溶液に溶けるパワーを有する。最後に、コンパートメントＣは、コンパートメントデバイダーが破壊され、混合がなされる際に溶液に溶ける、別の粉末を有してもよい。
【００２５】
通常バッグに含まれる酸素から遊離基(free radical)を除去するため、窒素を用いてもよい。
【００２６】
ある実施形態において、コンパートメントデバイダーは、化学反応あるいは溶解を介して開放されるよう構成される。かかるコンパートメントデバイダーは、たとえば、化学反応又は溶解を生じさせることが可能な、非有毒性の接着剤等の物質を用いて閉じるようにしてもよい。水等の化学試薬を、たとえばインレットコネクターを介してバッグ内に導くことにより、非有毒性の接着剤と化学試薬の反応によって、接着剤が溶解してコンパートメントデバイダーを開かせることになる。
【００２７】
ある実施形態において、コンパートメントデバイダーは、当該コンパートメントデバイダーが熱せられた場合に開くよう構成される。たとえば、コンパートメントデバイダーは、熱溶解を生じさせることが可能な、非有毒性の感熱接着剤等の物質を用いて閉じるようにしてもよい。したがって、コンパートメントデバイダーに熱を加えることによって、当該コンパートメントデバイダーが開くようになる。
【００２８】
ある実施形態において、コンパートメントデバイダーは、さらに、コンパートメントデバイダーの上の熱均質性を改善する熱伝導材料であってもよい。たとえば、それが開くまでコンパートメントデバイダーを熱するために、薄い金属箔を用いてもよい。
【００２９】
ある実施形態において、コンパートメントデバイダーは、誘導によって開くよう構成される。電磁界を誘導することにより、コンパートメントデバイダーを閉じるのに用いられる物質の特性を変更してもよい。
【００３０】
いくつかの実施形態においては、その中にある実施形態に基づくバッグが挿入される、真空チャンバーが設けられる。かかる真空チャンバーは、医療溶液を提供するためそこにバッグが接続される、バッグ接続アダプター１６０（以下で詳細を説明する）の一部であってもよい。当該真空チャンバーは、真空状態を連続的に作り出し、真空チャンバー内に空気を入れることにより、バッグの内容物を混合するアクションを提供するために用いてもよい。これにより、バッグの内容物は、バッグインレットコネクター等のバッグコネクターを介してバッグの外に押し出され、同じあるいは別のバッグコネクターを介して再びバッグ内に戻ることによって混合される。
【００３１】
前記インレットチューブ２は、計量された値を送水ポンプによって提供する水源に接続してもよい。最終製品に適用可能とするため、バッグ内に導かれた水は、医療用の質を有していなければならない。透析液用に、逆浸透圧水を用いるようにしてもよい。血液回路内に導入される溶液としては、殺菌水を用いなければならない。
【００３２】
また、前記インレットチューブ２を、バッグの内容物の再循環を提供する再循環ポンプに接続してもよい。
【００３３】
バッグ内に導かれた水は、その量を慎重に制御する必要がある。したがって、計量ポンプを設ける等により、水量が監視される。バッグの重量を監視し、これによりバッグに導かれた水の重量を監視するよう、前記バッグをはかりの上に配置してもよい。
【００３４】
再循環ポンプならびに水導入ポンプは、遠心ポンプ又はギアポンプあるいは蠕動ポンプ(peristaltic pump)であってもよい。  
【００３５】
図３に基づくバッグ３０の一実施形態において、インレットコネクター３３は、両方向の流れを可能にするのに適したバルブを備えている。再循環ポンプをインレットコネクター３３に接続してもよく、再循環ポンプの流れを前後に切り替えることにより、バッグは、その内容物を混合することが可能となる。適当な期間の流入と適当な期間の逆流とが結合されて混合が行われる。コンパートメントデバイダーを開くのに十分な送り圧を用いることにより、異なるコンパートメントにおいてバッグ内容物の混合を得ることができる。
【００３６】
図４に基づくバッグ４０の一実施形態において、当該バッグ４０は、上述のバッグ１０、２０および３０と比較すると、アウトレットチューブ４２に接続されたアウトレットコネクター４１をさらに備えている。ここでは、バッグからインレットチューブ４４への逆流を防止するため、逆止弁等のチェックバルブを有するインレットコネクター４３が設けられている。アウトレットコネクター４１も、アウトレットチューブ４２からバッグ内への逆流を防止するため、逆止弁等のチェックバルブを有する。インレットチューブ４４および／又はアウトレットチューブ４２に、再循環ポンプ（図示せず）を接続することにより、混合物を交互に、インレットコネクター４３を介してバッグ内に押し入れ、アウトレットコネクター４１を介して排出することで、水とバッグの内容物を混合することを可能とする。この再循環プロセスは、水とバッグの内容物との効率的混合を提供する。かかる再循環プロセスは、水をかき回すことによって水の中での粉末の溶解を促進させる。
【００３７】
図５に基づくバッグ５０の一実施形態において、インレットコネクターならびにアウトレットコネクターは、５１で示されるように一体化されている。逆止弁を備えた２方向アクセスチューブ５２、５３を介してバッグに混合物を提供し、そこから除去するために、一の貫入開口部しか必要でないことが、この実施形態の長所である。
【００３８】
バッグ６０の別の実施形態を図６に示す。かかるバッグ６０は、図３に示されたバッグと類似し、さらに、バッグ６０の上コンパートメントに位置するアウトレットコネクター６１を備える。かかるアウトレットコネクター６１は、アウトレットチューブ６２からバッグ内への逆流を防止するため、逆止弁等のチェックバルブを有する。かかるバルブは、アウトレットチューブ６２内に配置するようにしてもよい。インレットチューブ６３に接続された再循環ポンプ（図示せず）は、インレットコネクター６４を介して、混合物を、交互にバッグ内に押し入れ、排出することでバッグ６０の内容物の混合を実行する。混合が完了し、混合溶液が得られた後、かかる混合溶液を、アウトレットコネクター６１を介して、透析回路に提供してもよい。
【００３９】
ある実施形態において、前記アウトレットコネクター６１は、図１０に示すように、例えば透析回路１０９に接続する吸引チューブ１０９９による侵入を可能にするよう適合される膜を有して構成される。かかる膜は、柔軟なプラスチック材料で形成してもよい。当該膜は、アルミ箔又はアルミ箔とポリエチレン等のプラスチック材料との組み合わせによって形成するようにしてもよい。
【００４０】
図７に基づくバッグ７０の一実施形態において、図６に図示されたバッグは、さらに、第二アウトレットチューブ７２に接続する第二アウトレットコネクター７１を備えている。インレットコネクター７３は、バッグからインレットチューブ７２内への逆流を防止するため逆止弁を有している。前記第二アウトレットコネクター７１も、第二アウトレットチューブ７２からバッグ内への逆流を防止するため逆止弁を有している。インレットチューブ７４および／又はアウトレットチューブ７２に、再循環ポンプ（図示せず）を接続することにより、第二アウトレットコネクター７１を介して混合物を交互に排出し、インレットコネクター７３を介してバッグ内に押し入れることで、バッグが水とバッグの内容物を混合させることを可能とする。混合が完了し、混合溶液が得られた後、かかる混合溶液は、バッグの上コンパートメント内の第一アウトレットコネクター７５を介して、透析回路に提供される。
【００４１】
ある実施形態において、図７のインレットコネクターならびに第二アウトレットコネクターは一体化されている。この実施形態の長所は、バッグに混合物を提供しそこから除去するため、一の貫入開口部しか必要でないことである。
【００４２】
また、インレットコネクターならびにアウトレットコネクターを、二管式コネクターとして設けてもよく、かかるインレットコネクターは、前記アウトレットコネクターを構成するスリーブの内部に設けられたカニューレである。これとは逆に、当該アウトレットコネクターを、前記インレットコネクターを構成するスリーブの内部にカニューレとして設けるようにしてもよい。
【００４３】
図８に別の実施形態が示される。ここで、図１に示されたバッグと類似するバッグ８０は、さらに、当該バッグの上コンパートメントＣに接続されたアウトレットコネクター８１を備える。また、バッグ８０は、二のフロー流通経路８２１、８２２ならびに二のポンプコンパートメント８３１、８３２を備える。
【００４４】
アウトレットコネクター８１は、アウトレットチューブ８４からバッグ内への逆流を防止するため、逆止弁を備えるようにしてもよい。インレットコネクター２により水がバッグ内に導かれると、かかる水は二のフロー流通経路８２１、８２２を通じて、二のポンプコンパートメント８３１、８３２に押し出される。かかるポンプコンパートメント８３１、８３２は、交互に動作するピストン(alternating pistons)あるいは同様の機構（図示せず）等により内部的な循環フローを提供するため外部から圧力を受け、押されあるいは巻き取られるようにしてもよい。混合溶液が得られると、アウトレットチューブ８４は、アウトレットコネクター８１を介し、前記混合溶液を透析回路に運搬可能となる。
【００４５】
図８のバッグ８０は、ＣＡＰＤ、ＨＦの１回分(HF in batch)ならびにＨＤＦの１回分(HDF in batch)に用いるため無菌の透析液を提供するため用いてもよい。この場合、混合溶液すなわち透析液は、アウトレットコネクタ８１ならびにアウトレットチューブ８４を介して、患者の腹膜（ＣＡＰＤの場合）に直接送り届けられ、あるいは、治療が適切になるまでバッグ内部に保存するようにしてもよい。在宅治療の患者が、自身の家に重くてかさばる透析液の容器を搬送し、運ぶ必要がないことがこの実施形態の長所である。それに代え、きれいな水源をインストールし、図８に示すバッグを当該水源に接続することにより、患者の重荷となっている治療を促進させる。
【００４６】
ここで説明するバッグは、漏れないバッグを提供するためＰＶＣ又はＰＰＣ等の弾力性物質によって作ってもよい。当該バッグに生体適合性あるいは医療グレード材料を用いるようにしてもよい。かかる材料は、バッグ材料とその内容物の相互の影響ができるだけ小さくなるよう適切に選ぶようにしてもよい。いくつかの実施形態において、前記弾力性物質は、ポリエチレン、ポリアミド、ポリプロピレン又はＰＥＴの少なくとも一部を備えている。また、いくつかの実施形態において、異なる弾力性物質の組み合わせを用いるようにしてもよい。さらに、ある実施形態において、前記弾力性物質は、バッグに湿気が侵入するのを防止するための約１２０μmの厚みを有する外部ＰＥＴ層、バッグの引っ張り強さを増加させるための約１５μmの厚みを有する中間層、ならびに、バッグの溶接を可能にするための約１２μmの厚みを有する内部層を備えている。
【００４７】
インレットコネクターおよび／またはアウトレットコネクターの逆止弁の一実施形態においては、二の溶接された薄い平らなフォリオ構造（two-welded thin flat folio design）を備えるようにしてもよい。
【００４８】
インレットコネクターおよびアウトレットコネクターにおける逆止弁は、ボールスライド機構付き逆止弁等のどのような逆止弁であってもよい。
【００４９】
ある実施形態において、前記バッグは、どのような数nのコンパートメント、例えば、二のコンパートメントデバイダーおよび一のコンパートメントデバイダー等、n-1個のコンパートメントデバイダーを設けるようにしてもよい。
【００５０】
したがって、上のコンパートメントに粉末が充填された一のコンパートメントデバイダーを有するバッグを設けるようにしてもよい。この実施形態の長所は、当該粉末が、下のコンパートメントのコネクターのバルブ構造の動作の邪魔にならないことである。
【００５１】
ＣＡＰＤ（持続的携帯型腹膜透析）又はＣＣＰＤ（連続周期的腹膜透析）用の溶液を提供するための一実施形態において、バッグ８０のコンパートメントは、以下の内容物を有するようにしてもよい：
コンパートメントＡ：塩化ナトリウム、乳酸ナトリウム、塩化カルシウム、水溶性の塩化マグネシウムを含む２０００mlの水
コンパートメントＢ：グルコース粉末
コンパートメントＣ：追加のグルコース粉末
バッグ８０は、コンパートメントＡとコンパートメントＢとの間のコンパートメントデバイダー６’を破裂させるための窒素ガス等の気体を導入することによって活性化する。かかるデバイダー６’が破裂すると、コンパートメントＢ内のグルコース粉末は、コンポーネントＡの水中に落ち、そこで急速に溶ける。溶液を攪拌するためにポンプ領域８３１および８３２を押すことでコンポーネントＢの粉末の溶解が促進される。コンパートメントＢ内の粉末を全て溶解させるために、バッグを前後逆転させてもよい。こうして、リットルあたり１５グラムの第一のグルコース濃度を有する透析液が提供される。リットルあたり２５グラム等のより高い濃度が望まれる場合、第二コンパートメントデバイダー６’’を破裂させるため気体圧をさらに増大させる。つぎに、第３コンパートメントＣのグルコース粉末が、下のコンポーネントＡおよびＢの水混合され、溶かされる。両デバイダーが破壊されるまで気体圧を高く保つことにより、二のコンパートメントデバイダー６’およびコンパートメントデバイダー６’’を一の操作で開いてもよいことに注意すべきである。
【００５２】
例えば、その内容物を含んだバッグ８０全体を高圧蒸気滅菌することにより、バッグ全体を無菌にしてもよい。バッグへの気体の導入は、無菌コネクタにより実行しても、気体が無菌であってもよく、この結果、最終製品である医療用液は無菌となる。
【００５３】
同じ方法により、輸液又は置換液等の他の無菌医療用液を作るようにしてもよい。
【００５４】
ある実施形態において、前記バッグは、Ａ−濃縮物ならびにＢ−濃縮物等、透析治療のための濃縮物を生産することを目的とする。
【００５５】
Ａ−濃縮物を提供するためのバッグ８０は、以下の要素を有してもよい：
コンパートメントＡ：空であるが、５リットルの容量を持つ。移動の際、本コンパートメントは折りたたんでもよい。
【００５６】
コンパートメントＢ：全て粉末の、塩化ナトリウム１０５０グラム、塩化カリウム２５グラム、塩化カルシウム４５グラム、塩化マグネシウム３４グラム。
【００５７】
コンパートメントＣ：酢酸３２グラムが溶解している水２００グラム。
【００５８】
透析治療のためのＡ−濃縮物は、一定圧において水５リットルをコンパートメントＡに入れ、その結果、コンパートメントデバイダー６’が破壊されることによって準備される。これにより、コンパートメントＢ内の粉末は、コンパートメントＡの水中に落ち、そこで溶解する。全ての粉末が溶けると、第二コンパートメントデバイダー６’’を破壊するため気体圧が導かれ、コンパートメントＣの酢酸が、コンパートメントＡおよびＢの溶液に加えられる。この溶液は、１：３４の割合で希釈されるべきである。コンパートメント内に導かれた水は、意図された用途への適合性を有していなければならない。Ａ−濃縮物の準備には、逆浸透圧水(RO-water)が適している。コネクターは、無菌である必要はないが、十分に消毒されなければならない。
【００５９】
Ｂ−濃縮物を提供するためのバッグ８０は、以下の要素を有してもよい：
コンパートメントＡ：空であるが、９．５リットルの容量を持つ。移動の際、本コンパートメントは折りたたんでもよい。
【００６０】
コンパートメントＢ：粉末の重炭酸ナトリウム７５０グラム。
【００６１】
透析治療のためのＡＢ−濃縮物は、消毒されたコネクタを使って逆浸透圧水等の水をコンパートメントＡに入れることにより準備される。水は、コンパートメントＡおよびＢの間のコンパートメントデバイダーが破壊されるまで、すなわち、約９．５リットルの水の導入後まで導かれる。次に、さらに０．５リットルの水が導かれ、全部で１０リットルの水がバッグ内に存することになる。ここで重炭酸塩が水に溶け始める。かかる溶解は、上述のようにバッグをかき混ぜることによって促進される。全ての粉末が溶けると、約１：２０の割合で希釈されるべき既製のＢ−濃縮物が得られる。
【００６２】
インレットコネクターおよび／またはアウトレットコネクターは、インターロッキング機能等の漏れを防止する適切なデザインを有してもよい。
【００６３】
ある実施形態においては、前記バッグを完全に空にすることができるので、無駄を最小限に抑えるとともに重量を最小限に抑えることが可能となる。それは、通常用いられている非弾力性のプラスチック製容器よりもずっと少ない保存領域しか使用しない。
【００６４】
バッグの内容物が、治療中に全部使用されない場合であっても、次の治療において使用することができる。
【００６５】
ある実施形態において、前記バッグは、生分解性ポリマー等の生分解性物質から構成されている。
【００６６】
ある実施形態において、コンパートメントデバイダーは、十分な圧力が加わると破壊されるよう溶接されている。
【００６７】
ある実施形態によると、コンパートメントデバイダーは、ジップロック（zip-lock）であってもよい。
【００６８】
他の実施形態において、コンパートメントデバイダーは、接着、あるいは類似の方法により取り付けるようにしてもよい  。
【００６９】
ある実施形態において、コンパートメントデバイダーは、バッグを閉じる外部的に取り付けられたクリップにより設けられている。
【００７０】
ある実施形態において、バッグには、半透明又は非透明フィルム等の保護フィルム、あるいは、バッグの内容物を、例えば日光、湿気、熱その他から保護する保護バッグ（図示せず）が設けられる。かかる保護フィルムを、バッグ１０の外側に設け、あるいは、バッグの壁に組み込むようにしてもよい。また、前記保護バッグが、前記バッグの外側を取り囲むよう設け、あるいは、前記バッグと保護バッグを一体化したバッグとしてもよい。この実施形態の長所は、バッグ１０の内容物が保護フィルム又は保護バッグが設けられていない場合と同じ程度にしか変質しないことにある。
【００７１】
ある実施形態において、バッグが直立した位置に存する場合、バッグ内部の底面はバッグの最も低い点に向かって傾いている。
【００７２】
ある実施形態において、インレットコネクター３は、最も低い点が存する位置に設けられる。
【００７３】
ある実施形態において、バッグの前記傾斜底面は、傾斜し対向する更なる２つの面であって当該傾斜底面に対し垂直に配置されたものにより構成される。当該傾斜し対向する更なる２つの面は、バッグ内部の壁および端部にバッグの内容物が残るリスクが減少するので、バッグの内容物をバッグの最も低い点に導きバッグの内容物の混合を向上させるよう機能する。バッグの最も低い点であって、３つの傾斜面の近傍にインレットコネクター３を設けることにより、その中に傾斜面を設けない場合と比較して、バッグの混合効率は著しく向上する。
【００７４】
ある実施形態において、バッグ１０は、液体がバッグ内に導かれた場合に、支えなしで立つよう構成され、それは、部分的に堅いプラスチック素材を有する壁も設けることにより可能となる。したがって、この実施形態による液体が満たされたバッグは、使用前に、テーブル又は床等の平面上に置くことが可能である。
【００７５】
ある実施形態において、コンパートメントデバイダーは、インレットコネクター（図示せず）の一部あるいは前記インレットコネクター上に設けられたキャップとして一体化される。したがって、バッグ内にコンパートメントデバイダーが存しない場合もあり得、これにより、かかるバッグは、一のコンパートメントしか有さないことになる。この実施形態は、上記のＢ−濃縮物バッグ等のバッグ内に一の粉末しか存しない場合に有益である。
【００７６】
近年、電解質を塩化ナトリウム等の粉末に組み込んだ新しいタイプの粉末が開発された。したがって、この実施形態においては、電解質溶液用コンパートメントおよびに塩化ナトリウム粉末用コンパートメントを別々に有することが必要ではなく、これらを組み合わせた粉末を含むコンパートメントを１つ有するだけでよい。この粉末は、富田製薬株式会社(Tomita Pharmaceutical Corp. Ltd.)から入手することができる。したがって、この実施形態によると、“インレットコネクター”という語の定義は、キャップ又は一体化されたコンパートメントデバイダーが設けられた、あるいは、設けられていない、インレットコネクターであると解釈してもよい。
【００７７】
図９に基づくある実施形態においては、システム９００が設けられている。かかるシステムは、図５に示されたようなバッグ９０、再循環ポンプ９２、水源９３、送水ポンプ９４、通常は開いている第一バルブ９５、通常は閉じている第二バルブ９６とともに、透析バッチ容器等の溶液供給容器９７を備えている。かかるシステムは、透析回路等の回路９８と任意に接続してもよい。
【００７８】
本システムの機能は、バッグ９０の異なるコンパートメントの内容物を、水源９３からの水と混ぜることにより、溶液供給容器９７に対し混合溶液を提供することである。コンパートメント９Ａが空の間、当該バッグ９０は、NaClの粉末を含む一のコンパートメント９Ｂおよび濃厚電解質溶液を含む一のコンパートメント９Ｃを備える前記バッグ９０は、前記システムと接続可能である。当初、バルブ９６は閉じられているので、逆浸透圧水である水は、送水ポンプ９４ならびに第一バルブ９５を介し、水源９３からバッグ内に導入される。十分な量の水がバッグ９０内に導入され、バッグ９０のアクセス可能な部分の内力が上述の第一所定圧値に達すると、第一コンパートメントデバイダー９９１が開き、NaClの粉末は導入された水と混ざりそれに溶け込む。同時に、前記コンパートメントデバイダーが開くので、送水ポンプ９４が停止し、これにより、バッグ９０内には追加の水が導入されず、決まった量の水がNaClの粉末と混ざる。次に、バルブ９５が閉じられる。なお、所定量の水を導入するため、第一コンパートメントデバイダーが開いた後にも送水ポンプが続けて水を導入し続けるようにしてもよい。
【００７９】
次に、再循環ポンプ９２は、水とNaClの粉末の混合物を送り出し、それをインレットチューブを介してバッグ内に、バッグのアウトレットチューブを介してバッグの外に再循環させるため始動する。かかる再循環ポンプ９２は、NaClの粉末が完全に水に溶けるまでの第一の期間中、動作する。アウトレットチューブは、粒子がポンプ動作を阻害するのでNaCl粉末の粒子がバッグの外に流出するのを阻止するようなフィルターを設けるようにしてもよい。
【００８０】
次に、当該再循環ポンプ９２を停止し、送水ポンプ９４は、バルブ９５を再び開くことにより、バッグ９０内への追加の水のポンピング動作を開始する。バッグ９０内に十分な量の追加の水が導入され、水圧が第二の所定圧値に達すると、第二コンパートメントデバイダー９９２が開き、コンパートメント９Ｃ内の電解質溶液が準備されていたNaCl粉末の粒子と混ざる。第二コンパートメントデバイダー９９２が開くと、送水ポンプ９４は再び停止され、バルブ９５が閉じられるとともに、再循環ポンプ９２は、アウトレットチューブを介してバッグの外で、ならびに、インレットチューブを介してバッグの中で、混合物の再循環を開始する。
【００８１】
電解質溶液がNaCl溶液と完全に混ぜられると、第二バルブ９６が開かれ、これにより、かかる溶液は、重力により溶液供給容器９７へと流れる。
【００８２】
ある実施形態において、再循環ポンプは、結果として生じる混合溶液を、バッグ９０の外、ならびに、溶液供給容器９７内にポンピングすることが可能である。実施形態の長所は、たとえば、連続して治療をするために十分な量の溶液が溶液供給容器内に連続して存するので、治療を中止することなく使用済みのバッグが新しいバッグに交換されることである。一例として、溶液供給容器が空になる前に約１０分間分の溶液がバッグおよび溶液供給容器９７内に残存している場合、再循環ポンプは、残存する溶液をバッグ９０から溶液供給容器へと送り出す。治療プロセス用により多くの溶液が必要である場合、新しいバッグが接続される。したがって、新しいバッグの準備を行うための処理時間は１０分である。残存量は、溶液供給容器９７内の残存レベルを決定するためのレベルセンサー（下の図１３の１３１を参照）により、あるいは、それに代え、バッグおよびその残存内容物の重さを提供するはかりによって決定してもよい。
【００８３】
ある実施形態において、送水ポンプは、コンパートメントデバイダーが破壊された場合と無関係に、正確な又は十分な量の水がバッグに送られるまで連続的に動作する。これは、例えば、定められた水源からの既知の水流により、所定の十分な時間でバッグを満たすことによって実行される。なお、水流又は水圧センサーは、前記システムに組み込むのに十分適している。
【００８４】
ある実施形態においては、例えば混合物が準備出来ていることを示す経験的な研究を用いることができるので、再循環ポンプ９２は、５分間等の十分な時間連続して動作する。
【００８５】
ある実施形態において、前記システムは、送水ポンプならびに再循環ポンプの両方の機能を有するポンプを一台だけ備えている。
【００８６】
図１０に基づくある実施形態においては、システム１００が設けられている。かかるシステムは、それぞれが図２に示すものと同じタイプであって、それぞれ同じ内容物を有する、第一バッグ１０１１および第二バッグ１０１２の２つのバッグ、第一再循環ポンプ１０３１、第二再循環ポンプ１０３２、水源１０５、送水ポンプ１０６、通常は開いている第一バルブ１０７１、通常は閉じている第二バルブ１０７２、通常は開いている第三バルブ１０７３、通常は閉じている第四バルブ１０７４、透析バッチ容器等の溶液供給容器１０８を備えている。当該システムは、例えば、吸引チューブ１０９９を介して透析回路等の回路１０９と任意に接続してもよい。かかるシステムは、図９で述べられたバッグ、ポンプならびにバルブを有する各サブシステムについて図９のシステムと同様に動作する。しかし、前記システムにおいて２つのバッグを用いることにより、第一バッグ１０１１がほぼ空の場合であっても、第二バッグ１０１２を満たすことが可能となる。第一バッグ１０１１が完全に空の場合、空気検知器１０２１は、第二バッグ１０１２に自動的に交換するための信号を与える。第一バッグ１０１１は、その後、新しいものと交換される。前記第二バッグ１０１２も、空気検知器１０２２を備えている。このサイクルを繰り返すことにより、溶液供給容器１０８内には常に十分な量の混合溶液が存し、これにより、システム１００の使用可能な動作時間がさらに改善される。
【００８７】
図１０に基づく実施形態を、透析治療に必要な組成を有する調合済みの透析液を提供するため用いてもよい。この実施形態において、バッグ１０１１は、Ａ−濃縮物を生成するための組成を備え、バッグ１０１２は、Ｂ−濃縮物を生成するための組成を備えている。上述のようにかかるバッグを動作させ、コンパートメント内で粉末を混合し、溶かした後、かかるバッグは、慎重に制御された組成を有する濃縮物を備える。蠕動ポンプまたはピストンポンプ等の定量ポンプであるポンプ１０３１ならびに１０３２を動作させるとともに、逆浸透圧水を提供するためにポンプ１０６を動作させることにより、更なる希釈を行うことなく透析患者に対して供給するのに適した組成を有する透析液を含むよう、供給容器の内容物を制御してもよい。
【００８８】
図１１に基づく別の実施形態においては、４つのバッグ１１１、１１２、１１４、１１５および２つの溶液供給容器１１３、１１６を備えたシステム１１０が設けられている。第一バッグ１１１および第二バッグ１１２は、第一溶液供給容器１１３に接続されている。また、第三バッグ１１４および第四バッグ１１５は、第二溶液供給容器１１６に接続されている。このシステムは、透析治療用の、サブシステムにおいて溶液供給容器１１３等に接続するＡ−濃縮物、ならびに、サブシステムにおいて溶液供給容器１１６等に接続するＢ−濃縮物の両方を得ることを可能にする。次に、溶液供給容器１１３、１１５は、従来の透析器の各濃縮物用の流入口に接続される。
【００８９】
図１２に基づくある実施形態においては、システム１２０が設けられている。かかるシステムは、図７に示すバッグを備えている。ポンプ１２１は、生成された溶液を溶液供給容器に提供することが可能である。
【００９０】
図１３に基づくある実施形態においては、システム１３０が設けられている。かかるシステムは、図８に示すバッグを備えている。
【００９１】
ある実施形態において、溶液供給容器は、内部の溶液レベルが低くなりすぎているので、新しいバッグをシステムに接続しなければならないことを外部装置を通じてユーザーに警告する、図１３に示すレベルセンサー１３１をさらに有するようにしてもよい。
【００９２】
ある実施形態において、前記レベルセンサー１３１は、溶液供給容器が空になるまでの推定残時間に関する情報を提供する。
【００９３】
ある実施形態において、レベルセンサーの情報は、ディスプレイに表示される。
【００９４】
患者の尿素濃度等の外部情報を当該ディスプレイに表示してもよい。
【００９５】
治療に必要とされる生成溶液の量、いくつのバッグが必要となるのか等を演算するため、外部情報とレベルセンサーからの情報の組み合わせが用いられる。
【００９６】
ある実施形態において、水源は、逆浸透施設等の透析回路に接続されたものと同じ水源である。別の実施形態において、水源は無菌の水を含むバッグから得られる無菌水である。
【００９７】
ある実施形態において、当該システムをスタンドアローン機器として用いても、既存の透析器に接続することにより既存の透析装置に追加するようにしてもよい。かかるシステムは、Ｔ型コネクター等を通して、透析システムと同じ水源に接続するようにしてもよい。また、溶液供給容器を透析回路に接続してもよい。本発明は独立しているので、既存の透析装置を再構築する必要はない。
【００９８】
ある実施形態において、送水ポンプはピストンポンプである。
【００９９】
本発明の他の実施形態において、送水ポンプはギアポンプである。経済的理由からギアポンプを用いるようにしてもよい。
【０１００】
システムを空にするプロセス
ここで、図１４を参照しつつ、システムを空にするプロセスについて説明する。ピストンポンプ等の送水ポンプ１４１の順方向フローは、逆方向フローに変更され、オンにされる。双方向戻り弁１４２、１４３は、ドレイン１４４方向に開かれる。再循環ポンプ１４５がオンにされ、バッグに残った内容物を排出する。このようにして、システムから液体がなくなる。ドレイン１４４との連通を提供するためドレインバルブ１４６を設けてもよい。何らの事情で液体が水源１０５内に排出されてしまうのを防止するため、水源１０５とポンプ１４１とを接続するライン内に逆止弁１４７を配置してもよい。
【０１０１】
ある実施形態においては、システムを空にするプロセスを促進するために再循環ポンプの排出方向を変更するようにしてもよい。
【０１０２】
殺菌プロセス
図１５を参照しつつ、システムを殺菌するプロセスについて以下で説明する。殺菌プロセスは、上述のシステムを空にするプロセスの後に実行される。バッグが取り外され、予めバッグに接続されたインレットチューブとアウトレットチューブを相互に接続するコネクター１５１、１５２が挿入される。かかるバッグ自体は一回使用した後に廃棄してもよいし、最終的にリサイクルしてもよい。
【０１０３】
システムの殺菌プロセスは、主に３つのステップに集約される。最初のステップにおいて、所定量のきれいな水が、送水ポンプ１５３を介してシステム内に注入される。システムの全てのインレットチューブおよびアウトレットチューブならびに溶液供給容器が、きれいな水で満たされる。所定の水量に達すると、送水ポンプ１５３がオフにされる。
【０１０４】
第二のステップにおいて、例えば、溶液供給容器内に殺菌剤を入れておくことにより、錠剤、粉末又は液体の殺菌剤（洗浄剤）が、システム内に導入される。これに代え、最初のステップを実行する前に、溶液供給容器内に殺菌剤を入れておくようにしてもよい。溶液供給容器１５４には、ふた１５５１等を介して殺菌チューブ１５５が接続される。システム内に殺菌剤を循環させるためポンプ１５３を動作させる。再循環ループ付近における再循環ポンプ１５６１、１５６２による殺菌剤を含む水のポンピングは、殺菌剤がシステム全体を洗浄するまで続けられる。
【０１０５】
第三のステップにおいて、前記システムは、上述のように空にされ、さらに、殺菌チューブ１５５内に残存する内容物は、溶液供給容器１５４を介して、ドレイン１５７内に排出される。また、かかるシステムは、システム内に残留薬剤が残存することがないよう使用前に水により洗浄してもよい。殺菌チューブ１５５が、溶液供給容器１５４から外される。こうして、当該システムは殺菌され、再び使用可能な状態となる。
【０１０６】
図１６に基づくある実施形態において、システムに対するバッグ６０、７０、８０、１６１の接続は、バッグ１６１がシステムに接続されるところに位置するバッグ接続アダプター１６０により円滑にされる。かかるバッグ接続アダプター１６０は、バッグのインレットコネクター３に接続するための第一アダプター１６２を備えてもよい。上述の実施形態によると、接続されたバッグに内容物を満たし、混合することを可能とするため、かかる第一アダプター１６２は、他の端部１６２１において送水ポンプおよび／又は再循環ポンプと接続される。いくつかの実施形態において、バッグ接続アダプターは、アウトレットコネクター３３、６１、７５、８１に接続するための第二アダプター１６３を備えている。バッグの底部に設けられた場合、当該第二アダプター１６３は、アウトレットコネクター４２、５３、６２、８４に接続してもよい。バッグ接続アダプターの第二アダプター１６３は、透析回路、あるいは、溶液供給容器に直接接続１６４してもよい。当該第一又は第二アダプターは、システムへのバッグの接続を容易にする。殺菌モードにおいては、バッグ接続アダプターの殺菌を可能にするため、第一および第二アダプター１６２、１６３間に殺菌コネクター（１５１、１５２）を設け、接続してもよい。したがって、この実施形態を用いることで、システムへのバッグの接続が促進される。
【０１０７】
いくつかの実施形態において、バッグ接続アダプターは、接続されたバッグのコンパートメントデバイダーを開く手段を備える。例えば、かかるコンパートメントデバイダーが誘導を介して開かれる場合、バッグ接続アダプターは、コンパートメントデバイダーを開くことを可能とする電磁界を提供する手段を備えてもよい。かかるバッグ接続アダプターは、コンパートメントデバイダーを熱的に開くための加熱手段、その中に前記バッグが存する真空チャンバーを有するよう当該バッグ接続アダプターを構成すること等によって、外部より加えられた真空によりコンパートメントデバイダーを開くするような真空手段をさらに備えてもよい。また、バッグが、コンパートメントデバイダーを機械的に開くためのハンドル手段を備えている場合、バッグ接続アダプターは、コンパートメントデバイダーを開くため、バッグの内側と外側の２つの反対側からバッグを掴んで、引っ張るための機械的手段を備えるようにしてもよい。
【０１０８】
図１７ａおよびｂに基づくある実施形態において、例えば、バッグの頂面に位置するアウトレットコネクター１７１は、ネジ付きキャップ１７２を備えて構成される。バッグのインレットコネクター３に対して１つの接続を有するバッグ接続アダプター１６０に、バッグを任意に接続するようにしてもよい。図１７ａは、例えば、バッグの内容物を混合している段階であって、アウトレットコネクター上にまだキャップが設けられている状態のバッグを示している。従来の透析機の殺菌中、吸引チューブ１７３が、ネジ付きキャップ等を介して液体のクエン酸を有している缶内に配され、当該缶から一定量のクエン酸を吸引することにより、システムが殺菌される。図１７ｂにおいて、かかるキャップは取り除かれ、吸引チューブ１７３が設けられる。汚染を避けるため、殺菌は使用の度に行われるべきである。殺菌後、吸引チューブは、殺菌サイクルの一部となるよう透析システム内のそれぞれの位置に置かれる。この実施形態において、アウトレットコネクターのキャップは、バッグの上に設けられており、これにより、液体のクエン酸を有する既知の缶と同様の方法で吸引チューブをバッグに挿入してもよい。
【０１０９】
いくつかの実施形態において、キャップ又はアウトレットコネクターは、吸引チューブが貫通可能な、薄い貫通可能膜により構成される。当該膜が吸引チューブの外面に押しつけられるので、かかる膜を用いることにより、バッグの内容物から空気中の任意の汚染物質を遠ざけることが可能となる。したがって、本実施形態のバッグは、液体クエン酸が入った重い缶が不要となり、従来技術の液体クエン酸を有する缶に代え、ユーザーの取り扱い方法の柔軟性を改善することができる。このように、粉末のクエン酸を有する本発明のバッグを設けることで、バッグの混合動作によって混合された液体クエン酸溶液が提供される。このことから、殺菌手順は、例えば、バッグ内の粉末を混ぜ；キャップを開け；吸引チューブをキャップの開口又は膜を通じて配し；その濃度に応じて殺菌システムが液体クエン酸をくみ上げ；バッグから吸引チューブを取り除き；バッグのキャップを閉じる；というものであって、その後に、殺菌システムならびに透析機が同時に殺菌されるものでもよい。
【０１１０】
ある実施形態において、膜は、アウトレットコネクターと一体に射出成形される。かかるアウトレットコネクターは、例えば、１６ｍｍの外径を有し、それによる膜の直径は、当該アウトレットコネクターの内径に対応する径を有してもよい。前記膜には、例えば直径６ｍｍであって、膜の中央に位置する穴を設けてもよい。かかる穴は、キャップがバッグから取り除かれた場合に、吸引チューブ１７１をバッグ内に挿入可能とするため設けられるものである。したがって、本発明に基づくバッグは、吸引チューブを使用する既存の全ての透析システムに用いることができる。図１７は、吸引チューブ１７１をアウトレットコネクターに入れることを可能とするための膜１７２を有するバッグを示している。
【０１１１】
バッグ内に導かれる水の量を制御する方法として、さまざまな方法が存在する。例えば、輸血用ポンプによる容積測定、流れ測定、重量測定、導電率測定、ｐＨ測定、柔軟なバッグへの圧力あるいは固定されたスペースに位置するバッグへの圧力等により、水量を制御するようにしてもよい。これらの測定パラメーター（容積、流れ、重量、圧力、導電率、ｐＨ、ポンプの再循環時間等）を、以下で水量パラメーターと呼ぶ。
【０１１２】
ある実施形態によると、システム内および／又は外部装置であって、図１０に例示された制御装置１９２と少なくとも一の上記パラメーターをやりとりするためバッグ上にトランスポンダー装置１９１が設けられる。
【０１１３】
かかる制御装置および／又は外部装置は、トランスポンダーから受けとった、水量パラメーター等の情報を、当該システムのバルブ、送水ポンプ、再循環ポンプ、空気検知器およびレベルセンサーに伝達してもよい。前記制御装置および／又は外部装置は、任意に双方向通信を行うようにしてもよい。前記水量パラメーターは、各バッグの設計によって異なる。
【０１１４】
ある実施形態において、トランスポンダー装置は、再循環時間、流量等に関する水量情報を再循環ポンプと直接やりとりする。
【０１１５】
また、ある実施形態において、トランスポンダー装置は、ポンプ流、水量、順方向／逆方向への動作等に関する水量情報を送水ポンプと直接やりとりする。
【０１１６】
制御装置および／又は外部装置は、たとえば、バッグの必要条件に対するポンプの設定が正確になされていなかったり、溶液供給容器がほとんど空だったり、新しいバッグを接続しなければならない場合に、光および／又は音によって特定の状況の患者／ユーザーに警告する能力を有してもよい。
【０１１７】
ある実施形態において、前記制御装置は、残りの治療時間、バッグが空になるまでの予測時間ならびに新しいバッグを接続しなければならない旨、水量パラメーター、バッグの識別番号等のパラメーターを表示するディスプレイを備えている。これにより、ユーザー/患者は、治療プロセスについて完全な総括情報(complete general overview)を有することになる。
【０１１８】
ある実施形態において、トランスポンダー装置は、外部装置のシステム内で、これを制御装置とやりとりする識別手段兼通信インターフェースを有している。
【０１１９】
また、ある実施形態において、アウトレットコネクターが透析回路に直接接続されている場合、当該アウトレットコネクターは、フローセンサーを有して構成される。それに応じて、バッグから流れ出る混合溶液の量を測定するようにしてもよい。バッグ内の混合溶液の量を知ることにより、制御装置によってバッグが空になるまでの予測時間を算出してもよい。また、濃縮物の使用量、ならびに、バッグ内の濃縮物の残量を算出するためにフローセンサーを用いてもよい。
【０１２０】
いくつかの実施形態においては、アウトレットコネクターに（直接又は間接的に）接続される尿素センサー等のフローセンサーが、外部装置に設けられる。
【０１２１】
いくつかの実施形態においては、バッグ内に流入するフローの測定を可能とするため、インレットコネクター内にフローセンサーが設けられる。流入するフローを測定することにより、例えば、バッグが空になるまでの予測時間を算出することが可能となる。
【０１２２】
バッグが空になるまでの予測時間を判断するための他の方法としては、バッグ内部の寸法についての情報とともにバッグ内の液柱(liquid column)を測定することによってもよい。いくつかの実施形態において、バッグは、当該バッグの縦方向に沿ったボリュームレベルインジケーターを備えて設けられる。これにより、バッグ内に残存する量を目で確認することができる。各透析フローごとに、一の目盛りを任意に用いてもよく、これにより、レベルメーターは、流出フローのためにいくつかの異なる目盛りを備えるようにしてもよい。
【０１２３】
ある実施形態において、システムにおいて用いられる全てのバッグは、識別手段を有している。透析液提供システムにおいては、正しいバッグがシステムに取り付けられていることを確認するため識別手段が必要とされる。システムあるいは外部装置内の制御装置は、バッグをシステムに接続可能にする識別コードを管理する。かかる識別手段は、識別手段としてのバーコード又はＰＩＮコード、磁気ストリップ、トランスポンダーあるいはチップを備えた、ラベルであってもよい。
【０１２４】
また、システムにおける全てのバルブ、送水ポンプ、再循環ポンプ、空気検出器ならびにレベルセンサー等が、識別手段を有してもよい。
【０１２５】
さらに、ユーザー／患者、つまり、患者およびオペレーターに対し、個人識別用の、ＰＩＮコード、磁気ストリップ、データチップ等が付いたＩＤカード等の識別手段を設けるようにしてもよい。これにより、制御装置および／又は外部装置は、バッグのＩＤに対応する患者ＩＤであることを確認することができ、正しい透析溶液がユーザー／患者に提供される。
【０１２６】
水量パラメーターおよびシステム内の識別手段は、当該システム内の制御装置あるいは外部装置により管理される。
【０１２７】
ある実施形態において、バッグ上のトランスポンダー装置は、制御装置および／又は外部装置に対して水量パラメーターならびに識別手段の両方を提供する。
【０１２８】
トランスポンダー装置から受けた情報が与えられると、当該制御装置および／又は外部装置は、圧力値、水量、再循環による効果的な混合時間ならびに追加の水量を判断する。
【０１２９】
本実施形態は、従来技術を上回る多くの長所を提供する。例えば、本発明のある実施形態に基づく再循環プロセスは、再流通ポンプを用いることにより、バッグの内容物について、自動的に、安全かつ正確な混合を提供する。ある実施形態のバッグを用いたＨＤ、ＨＤＦならびにＨＦによる治療の場合、手動による混合は不要である。したがって、本発明は、患者／ユーザーがエラーを犯すリスクを低減させる。
【０１３０】
バッグ内に水又は気体圧力を加えることにより、コンパートメントデバイダーを自動的に開放する。これにより、ユーザー／患者は、バッグの異なるコンパートメントを手動で開ける必要がない。したがって、本発明は、患者／ユーザーがエラーを犯すリスクを低減させる。
【０１３１】
粉末から溶液を提供するＡ−粉末バッグは、混ぜる前に約１．５Ｋｇの重さがある。粉末から溶液を提供するＢ−粉末バッグは、混ぜる前に約７００ｇの重さがある。これらの実施形態は、粉を有し、使用時点で水を満たすバッグを設けることにより、液体濃縮物を完全に置き換えることが可能である。Ａ−粉末バッグが設けられたとしても、粉末と電解質溶液がバッグ内の別のコンパートメントに収納されるので、使用時点で水を満たすことにより、まず最初に混ぜ合わされる。したがって、Ａ−濃縮溶液を提供するために二のバッグ又はカートリッジを用いる必要がなくなる。
【０１３２】
各実施形態に基づくバッグは、ＨＤ（例えば、図１から７に示されたバッグ１０から７０用）および腹膜透析(例えば、図８に示されたバッグ８０用)あるいは、バッチＨＦおよびＨＤＦ等のいずれの透析治療においても用いてもよい。
【０１３３】
各実施形態に基づくシステムをスタンドアローン装置として用い、既存の透析機に追加するようにしてもよく、したがって、当該システムを水源に接続し、溶液供給容器を透析システムの透析溶液のインレットに接続するだけで、既存の透析システムに接続することができる。
【０１３４】
また、使用後の、ある実施形態に基づくバッグは、完全に空であり、これにより、無駄をなくし使用後のバッグの重量を低減する。
【０１３５】
さらに、液体によるバッグ（図７）の充填および準備を、別のステーションで行うことが可能である。したがって、自宅療養の患者は、治療（ＰＤ、ＣＡＰＤ、ＨＦバッチ又はＨＤＦバッチ）が開始されるまで、いくつかのバッグを充填し保存してもよい。
【０１３６】
特定の実施形態に基づいて本発明に関する説明がなされているが、ここで述べた特定の形式に限定されることを意図するものではない。本発明は、添付されている特許請求の範囲によって定義されるべきであり、上記実施形態以外の他の実施形態、例えば、上述のものとは異なる適用領域も同様に添付の請求項の範囲内に入る。
【０１３７】
特許請求の範囲における、“備え／備える”という文言は、他のエレメントあるいはステップの存在を排除するものではない。また、独立して示してはいるが、複数の手段、エレメント、あるいは、方法のステップを実行するようにしてもよい。さらに、それぞれの特徴を、異なる特許請求の範囲に含めるようにしても、これらを有利になるよう組み合わせるようにしてもよく、異なる特許請求の範囲に含めることは、特徴の組合せが実行可能ではなく、および／または、有利であることを意味するものではない。また、単数の記述は、複数の可能性を除外するものでない“a”、“an”“第一”、“第二”等の文言は、複数であることを除外する意図ではない。特許請求の範囲における参照符号は、例を明確化するためだけに与えられており、どのような形であれ、特許請求の範囲を限定するものと解釈するべきでない。
【図１】
2009539522.tif 000003
【図２】
2009539522.tif 000004
【図３】
2009539522.tif 000005
【図４】
2009539522.tif 000006
【図５】
2009539522.tif 000007
【図６】
2009539522.tif 000008
【図７】
2009539522.tif 000009
【図８】
2009539522.tif 000010
【図９】
2009539522.tif 000011
【図１０】
2009539522.tif 000012
【図１１】
2009539522.tif 000013
【図１２】
2009539522.tif 000014
【図１３】
2009539522.tif 000015
【図１４】
2009539522.tif 000016
【図１５】
2009539522.tif 000017
【図１６ａ】
2009539522.tif 000018
【図１６ｂ】
2009539522.tif 000019
【図１６ｃ】
2009539522.tif 000020
【図１７ａ】
2009539522.tif 000021
【図１７ｂ】
2009539522.tif 000022
【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
薬剤を提供するための容器（１０、２０、３０、４０、５０、６０、７０、８０、９０、１６１）であって、
少なくとも二のコンパートメント（Ａ、Ｂ、Ｃ）と、
当該二のコンパートメント（Ａ、Ｂ、Ｃ）の下の方の前記コンパートメント（Ａ）と接続するためのインレットコネクター（３、３３、４３、５１、６４、７３、８５）と、
各コンパートメントを隔てるコンパートメントデバイダー（６、２１、９９１、９９２）と、
前記少なくとも二のコンパートメント（Ａ、Ｂ、Ｃ）の上の方のコンパートメント（Ｂ、Ｃ）を接続するためのアウトレットコネクター（６１、７５、８１、１７１）と、を備えており、これにより、前記コンパートメントデバイダー（６、２１、９９１、９９２）は、前記インレットコネクター（３、３３、４３、５１、６４、７３、８５）を通じて液体圧力が加えられると、制御可能に開くよう構成され、前記下の方のコンパートメント（Ａ）と異なる少なくとも一のコンパートメント（Ｂ、Ｃ）は、粉末を有すること、
を特徴とする容器。
【請求項２】
請求項１に基づく容器（１０、２０、３０、４０、５０、６０、７０、８０、９０）において、前記圧力は、水などの液体によって供給され、前記インレットコネクターは、前記容器から距離をおいて配され、水源からの水を前記少なくとも二のコンパートメント（Ａ、Ｂ、Ｃ）の少なくとも一つに提供する送水ポンプ（９４）に接続されること、
を特徴とする容器。
【請求項３】
請求項１又は請求項２に基づく容器（１０、２０、３０、４０、５０、６０、７０、８０、９０）において、前記少なくとも二のコンパートメント（Ａ、Ｂ、Ｃ）の一のコンパートメント（Ｂ）は、電解質溶液を有すること、
を特徴とする容器。
【請求項４】
請求項１に基づく容器（１０、２０、３０、４０、５０、６０、７０、８０、９０）において、前記粉末は、重炭素の粉末(bicarbonate powder)であること、
を特徴とする容器。
【請求項５】
請求項１に基づく容器（１０、２０、３０、４０、５０、６０、７０、８０、９０）において、再循環ポンプ（９２、１０３１、１０３２）は、前記インレットコネクター（３、３３、４３、５１、６４、７３、８５）に接続され、当該再循環ポンプは、前記インレットコネクター（３、３３、４３、５１、６４、７３、８５）を介して前記容器の内容物の流入と逆流を可能にすることによって、前記容器（１０、２０、３０、４０、５０、６０、７０、８０、９０）の内容物の混合動作を提供するよう構成されること、
を特徴とする容器。
【請求項６】
請求項１に基づく容器（１０、２０、３０、４０、５０、６０、７０、８０、９０）において、前記インレットコネクター（３、３３、４３、５１、６４、７３、８５）は、逆止弁(non-return valve)を有して設けられること、
を特徴とする容器。
【請求項７】
請求項１に基づく容器（４０、５０、６０、７０、８０、９０）において、前記アウトレットコネクター（４１、７１、８１）は、前記容器の内容物の吸引のための吸引チューブの侵入を可能とするよう構成される、膜を有して設けられること、
を特徴とする容器。
【請求項８】
請求項１に基づく容器（４０、５０、６０、７０、８０、９０）において、前記アウトレットコネクター（４１、７１、８１）は、逆止弁を有して設けられること、
を特徴とする容器。
【請求項９】
請求項１に基づく容器（４０、５０、６０、７０、８０、９０）であって、前記インレットコネクターとともに、一の二管式コネクター(double lumen connector)に集約される、さらなるアウトレットコネクターを備えること、
を特徴とする容器。
【請求項１０】
請求項１に基づく容器（４０、５０、６０、７０、８０、９０）において、再循環ポンプ（９２、１０３１、１０３２）が、前記インレットコネクターおよび前記アウトレットコネクターと連通し、当該再循環ポンプは、前記容器の前記内容物を、前記インレットコネクターを介して当該容器内に、前記アウトレットコネクターを介して当該容器外に、再循環させることによって、前記容器の内容物の混合動作を提供すること、
を特徴とする容器。
【請求項１１】
請求項１に基づく容器（８０）であって、さらに、前記容器の第一コンパートメントの内側に設けられた少なくとも一のフロー流通経路（８２１、８２２）を備え、当該フロー流通経路（８２１、８２２）のそれぞれは、前記インレットコネクターに接続された近端部ならびに少なくとも一のポンプコンパートメント（８３１、８３２）に接続された末端部を有し、当該ポンプコンパートメント（８３１、８３２）は、当該ポンプコンパートメント（８３１、８３２）に与えられる外部からの交互プレス動作(external alternating press action)によって、前記容器内で混合動作を提供するよう構成されること、
を特徴とする容器。
【請求項１２】
請求項１１に基づく容器（８０）において、前記外部交互プレス動作は、ピストンなどの機械的部材により与えられること、
を特徴とする容器。
【請求項１３】
前記いずれの請求項に基づく容器（１０、２０、３０、４０、５０、６０、７０、８０、９０）において、前記容器は、生分解性ポリマー（biodegradable polymer）などの生分解性物質から作られること、
を特徴とする方法。
【請求項１４】
前記いずれの請求項に基づく容器（１０、２０、３０、４０、５０、６０、７０、８０、９０）において、前記コンパートメントデバイダーは、それ自体に所定の圧力が加わると破壊されるよう溶接されること、
を特徴とする容器。
【請求項１５】
前記いずれの請求項に基づく容器（１０、２０、３０、４０、５０、６０、７０、８０、９０）において、前記コンパートメントデバイダー（６、２１、９９１、９９２）は、ジップロック( zip-lock)であること、
を特徴とする容器。
【請求項１６】
前記いずれの請求項に基づく容器（１０、２０、３０、４０、５０、６０、７０、８０、９０）において、前記コンパートメントデバイダー（２１）は、矢尻（２１）形状に設けられること、
を特徴とする容器。
【請求項１７】
前記いずれの請求項に基づく容器（１０、２０、３０、４０、５０、６０、７０、８０、９０）であって、十分な水量、十分な圧力値および容器の識別番号などの容器の特性をやりとりすることが可能なトランスポンダー装置１９１を備えること、
を特徴とする容器。
【請求項１８】
薬剤を提供するためのシステム（１００、１１０、１２０、１３０、９００）であって、当該システムは、
薬剤を提供するための少なくとも一の容器（９０、１０１１、１０１２、１１１、１１２、１１４、１１５）であって、
少なくとも二のコンパートメント（Ａ、Ｂ、Ｃ）、
前記二のコンパートメント（Ａ、Ｂ、Ｃ）の第一コンパートメント（Ａ）と接続するためのインレットコネクター（３、３３、４３、５１、６４、７３、８５）、各コンパートメントを隔てるコンパートメントデバイダー（６、２１、９９１、９９２）を備え、当該コンパートメントデバイダー（６、２１、９９１、９９２）は、前記インレットコネクター（３、３３、４３、５１、６４、７３、８５）を通じて液体圧力が加えられると、制御可能に開くよう構成され、前記少なくとも二のコンパートメント（Ａ、Ｂ、Ｃ）の第二コンパートメント（Ｂ、Ｃ）が粉末を有する、前記容器と、
液体源（１０５）から前記少なくとも一の容器（９０、１０１１、１０１２、１１１、１１２、１１４、１１５）に水などの液体を提供するためのインレットチューブにより、前記インレットコネクターに接続された液体ポンプと、
前記液体ポンプと前記インレットコネクターとの間に設けられ、通常は開いている第一バルブ（９５）と、
前記インレットコネクター又はアウトレットコネクターと溶液供給容器（９７）の間に設けられ、通常は閉じている第二バルブ（９６）とを備え、
使用の際、前記少なくとも一の容器の内容物を前記液体源からの液体と混合することによって前記薬剤が準備されること、
を特徴とするシステム。
【請求項１９】
請求項１８に基づくシステム（１００、１１０、１２０、１３０、９００）であって、さらに、
前記インレットコネクターに接続され、前記容器（９０、１０１１、１０１２、１１１、１１２、１１４、１１５）の内容物を、前記液体ポンプ（９４）により提供された前記液体と混合する再循環を提供する再循環ポンプ（９２、１０３１、１０３２）、
前記送水ポンプに接続されたドレイン、および
前記送水ポンプに接続された殺菌チューブ、を備えること
を特徴とするシステム。
【請求項２０】
請求項１８又は請求項１９に基づくシステム（１００、１１０、１２０、１３０、９００）において、前記溶液供給容器（９７）は、前記溶液のレベルが低すぎる場合にユーザーに警告するレベルセンサー（１３１）を備えること、
を特徴とするシステム。
【請求項２１】
請求項１８から請求項２０のいずれかに基づくシステム（１００、１１０、１２０、１３０、９００）であって、さらに、
前記システムの前記バルブ、送水ポンプ、再循環ポンプ、空気検知器およびレベルセンサーに対する水量パラメーターについての前記システムのプロセスを制御する制御装置、を備えること、
を特徴とするシステム。
【請求項２２】
請求項２１に基づくシステム（１００、１１０、１２０、１３０、９００）において、前記制御装置１９２は、容積測定（volumetric measurement）、流れ測定（flow measurement）、重量測定（weight measurement）、導電率測定（conductivity measurement）、ｐＨ測定（pH measurement）、圧力測定（pressure measurement）によって、前記システムの水量を制御すること、
を特徴とするシステム。
【請求項２３】
請求項１８に基づくシステム（１００、１１０、１２０、１３０、９００）であって、さらに、トランスポンダー装置（１９１）を備え、当該トランスポンダー装置は、再循環時間、流量などに関する水量情報を前記再循環ポンプと直接やり取りすること、
を特徴とするシステム。
【請求項２４】
請求項１８に基づくシステム（１００、１１０、１２０、１３０、９００）であって、さらに、トランスポンダー装置を備え、当該トランスポンダー装置は、ポンプ流、水量、前方向／後方向動作などに関する水量情報を前記送水ポンプと直接やり取りすること、
を特徴とするシステム。
【請求項２５】
請求項２１に基づくシステム（１００、１１０、１２０、１３０、９００）において、前記制御装置は、光および／又は音によって患者／ユーザーに警告する能力を有すること、
を特徴とするシステム。
【請求項２６】
請求項２１に基づくシステム（１００、１１０、１２０、１３０、９００）において、前記制御装置は、残りの治療時間、新しい容器を接続するまでの時間、水量パラメーターおよび容器の識別番号などの前記パラメーターを表示するディスプレイを備えること、
を特徴とするシステム。
【請求項２７】
請求項２１に基づくシステム（１００、１１０、１２０、１３０、９００）であって、さらに、前記少なくとも一の容器（９０、１０１１、１０１２、１１１、１１２、１１４、１１５）およびその内容物の重さを決定する、はかり、を備えること、
を特徴とするシステム。
【請求項２８】
薬剤を提供するための方法であって、
請求項１から請求項１８に基づくいずれの容器内に、送水ポンプ（９４）ならびに第一バルブを介して水源（９３）から第一の水量を導入するステップと、
前記少なくとも一のコンパートメントデバイダーの最初のものを開くため、前記送水ポンプ（９４）によって圧力を加えるステップと、
前記圧力が加えられると前記送水ポンプを停止するステップと、
前記導入された第一の十分な水量を用い、再循環ポンプによって前記容器の前記内容物を再循環させるステップであって、これにより、混合された医療溶液を提供するステップと、
前記混合医療溶液を前記溶液供給容器（９７）に伝達するステップと、を備えること、
を特徴とする方法。
【請求項２９】
請求項２８に基づく方法において、前記容器の前記内容物は、電解質溶液、重炭酸などの粉末の少なくとも一つを備えること、
を特徴とする方法。
【請求項３０】
請求項２８又は請求項２９に基づく方法であって、さらに、新しい容器の接続が必要となる前に、前記溶液供給容器（９７）内に設けられたレベルセンサーからの情報を用い、前記溶液供給容器（９７）内の前記医療溶液のレベルに基づいて前記残り時間を推定するステップ、を備えること、
を特徴とする方法。
【請求項３１】
請求項１８から請求項２７に基づくいずれかのシステムを空にする方法であって、
前記送水ポンプの方向を、後方向ポンピングモード(backward pumping mode)に変更するステップと、
前記第一バルブならびに前記第二バルブの方向を、後方向フローモードに変更するステップと、
前記液体をドレイン内にポンピングすることにより、前記システムの液体を空にするステップと、を備えたこと、
を特徴とする方法。
【請求項３２】
請求項３１に基づく方法であって、さらに、前記システムを空にすることを促進するため前記再循環ポンプの方向を変更するステップ、を備えること、
を特徴とする方法。
【請求項３３】
請求項１８から請求項２７に基づくシステムを殺菌するプロセスであって、
前記溶液供給容器内に前記殺菌剤を導入するステップと、
前記送水ポンプを介し、適切な水を前記システム内にポンピングするステップと、
殺菌チューブ（１５５）を、前記溶液供給容器（１５４）内に入れるステップと、
前記再循環ポンプ（１５６１、１５６２）を動作させ、前記殺菌剤が前記システムを浄化するまで、殺菌剤を有する前記適切な水を再循環ループ付近にポンピングするステップと、ならびに
前記システムの液体を空にするステップと、を備えたこと、
を特徴とするプロセス。
【請求項３４】
請求項１に基づく前記容器への接続のための接続アダプター（１６０）であって、
前記インレットコネクターと接続するための第一アダプター（１６２）と、
前記アウトレットコネクター（３３、６１、７５、８１）と接続するための第二アダプター（１６２）と、を備えたこと、
を特徴とする接続アダプター。
【国際調査報告】
2009539522.tif 000023
2009539522.tif 000024
2009539522.tif 000025
2009539522.tif 000026
2009539522.tif 000027